(57)【要約】      （修正有）【課題】簡単に、アクセサリを衣類に取付けることができるアクセサリ取付装置を提供する。【解決手段】雄側取付具１の突起３を繊維生地Ｚａに押付け、繊維生地Ｚａで突起３及び環状溝６を被覆した被覆繊維生地部分Ｚａｐを形成する。被覆繊維生地部分Ｚａｐ、及び被覆繊維生地部分Ｚａｐで被覆した突起３を弾性取付具２の挿入穴１１に挿通して、弾性取付具２を被覆繊維生地部分Ｚａｐで被覆した環状溝６内に装着する。雄側取付具１及び弾性取付具２は、環状溝６において、被覆繊維生地部分ＺａＰを挟み込んで、アクセサリ５を衣類Ｚに取付ける。【選択図】図５
0003176416.tif 000002
【実用新案登録請求の範囲】
【請求項１】
繊維生地で形成される衣類において、
前記衣類にアクセサリを取付けるアクセサリ取付装置であって、
［Ａ］前記アクセサリ、突起、及び前記突起に形成される環状溝を有し、
前記突起の軸端を前記繊維生地の表面に押付け、前記突起及び前記環状溝を前記繊維生地で被覆して被覆繊維生地部分を形成する、雄側取付具と、
［Ｂ］挿入穴を有し、
前記被覆繊維生地部分、及び前記被覆繊維生地部分で被覆した前記突起を前記挿入穴に挿通して、前記被覆繊維生地部分で被覆した前記環状溝内に装着され、前記被覆繊維生地部分を前記突起側に付勢する、弾性取付具と、
を備え、
［Ｃ］前記雄側取付具、及び前記弾性取付具は、
前記被覆繊維生地部分で被覆した前記環状溝において、前記被覆繊維生地部分を挟みこんで、前記アクセサリを前記衣類に取付ける、
ことを特徴とするアクセサリ取付装置。
【請求項２】
［Ｄ］前記弾性取付具は、複数の挿入穴を有し、
前記各挿入穴は、前記弾性取付具に並設され、前記弾性取付具を同方向で挿通してなり、
［Ｅ］前記雄側取付具は、複数で構成され、
前記各雄側取付具の前記突起の軸端を前記繊維生地の表面に押付け、前記被覆繊維生地部分を夫々形成し、
前記各被覆繊維生地部分、及び前記各被覆繊維生地部分で被覆した前記各突起を前記各挿入穴に夫々挿通して、前記弾性取付具を前記被覆繊維生地部分で被覆した前記各雄側取付具の前記環状溝内に夫々装着する、
ことを特徴とする請求項１に記載のアクセサリ取付装置。
【請求項３】
［Ｆ］前記弾性取付具は、柔軟性弾性素材で形成され、前記挿入口を有する環状部材で構成される、
ことを特徴とする請求項１又は２に記載のアクセサリ取付装置。
【請求項４】
［Ｇ］前記弾性取付具は、柔軟性弾性素材で形成され、前記挿入口を有する複数の環状部材で構成され、
前記各環状部材は、前記挿入口を同方向へ向けて、相互に連結してなる、
ことを特徴とする請求項１又は２に記載のアクセサリ取付装置。
【請求項５】
［Ｈ］前記弾性取付具は、弾性素材で形成され、前記挿入口を有する止め輪で構成される、
ことを特徴とする請求項１又は２に記載のアクセサリ取付装置。
【請求項６】
［Ｉ］前記弾性取付具は、掴み部を有し、
前記掴み部は、前記被覆繊維生地部分で被覆した前記環状溝から前記弾性取付具を抜出す方向へ引張自在である、
ことを特徴とする請求項１乃至５の何れかに記載のアクセサリ取付装置。
【請求項７】
［Ｊ］前記掴み部は、前記環状部材と同一の柔軟性弾性素材で形成され、
前記１又は複数の環状部材に一体成形される、
ことを特徴とする請求項３、４又は６の何れかに記載のアクセサリ取付装置。
【請求項８】
［Ｋ］前記掴み部は、前記弾性取付具から前記挿入穴の穴中心線に直交する方向へ延設されている、
ことを特徴とする請求項１乃至７の何れかに記載のアクセサリ取付装置。
【考案の詳細な説明】
【技術分野】
【０００１】
本考案は、アクセサリ（装飾品）を衣類に取付けるアクセサリ取付装置に関する。
【背景技術】
【０００２】
近年、アクセサリ（装飾品）を衣類の表面に取付けることで、衣類の装飾性、デザイン性を高めることが提案されている。
【０００３】
アクセサリの取付技術として、特許文献１は、アクセサリ類を配置する雄側部材、及び雌側部材を備えるアクセサリ類取付具を開示する。アクセサリ類取付具は、雄側部材及び雌側部材で靴下等の被装着物を挟み込むことで、アクセサリ類を靴下の表面に取付ける。具体的には、雄側部材の係合部を被装着物の表側から押付けることで、被装着物を表側から裏側に押出して、雌側部材の穴内に係合部及び被装着物を挿入する。続いて、雄側部材の軸部、及び雌側部材の複数の係合片で被装着物を挟み込むことで、アクセサリ類を被装着物に取付ける。
【０００４】
しかしながら、特許文献１に開示する技術では、雌側部材をやや傾斜させた状態にして、雄側部材の係合部及び被装着物を雌側部材内に挿入する必要があるため、アクセサリ類を簡単に取付けることができない。
【先行技術文献】
【特許文献】
【０００５】
【特許文献１】特開２００５−９５２２８号公報
【考案の概要】
【考案が解決しようとする課題】
【０００６】
本考案は、簡単に、アクセサリを衣類の表面に取付けることができるアクセサリ取付装置を提供することにある。
【課題を解決するための手段】
【０００７】
本考案に係る請求項１は、繊維生地で形成される衣類において、前記衣類にアクセサリを取付けるアクセサリ取付装置であって、［Ａ］前記アクセサリ、突起、及び前記突起に形成される環状溝を有し、前記突起の軸端を前記繊維生地の表面に押付け、前記突起及び前記環状溝を前記繊維生地で被覆して被覆繊維生地部分を形成する、雄側取付具と、［Ｂ］挿入穴を有し、前記被覆繊維生地部分、及び前記被覆繊維生地部分で被覆した前記突起を前記挿入穴に挿通して、前記被覆繊維生地部分で被覆した前記環状溝内に装着され、前記被覆繊維生地部分を前記突起側に付勢する、弾性取付具と、を備え、［Ｃ］前記雄側取付具、及び前記弾性取付具は、前記被覆繊維生地部分で被覆した前記環状溝において、前記被覆繊維生地部分を挟み込んで、前記アクセサリを前記衣類に取付ける、ことを特徴とするアクセサリ取付装置に関する。
【０００８】
本考案に係る請求項２は、［Ｄ］前記弾性取付具は、複数の挿入穴を有し、前記各挿入穴は、前記弾性取付具に並設され、前記弾性取付具を同方向で挿通してなり、［Ｅ］前記雄側取付具は、複数で構成され、前記各雄側取付具の前記突起の軸端を前記繊維生地の表面に押付け、前記被覆繊維生地部分を夫々形成し、前記各被覆繊維生地部分、及び前記各被覆繊維生地部分で被覆した前記各突起を前記各挿入穴に夫々挿通して、前記弾性取付具を前記被覆繊維生地部分で被覆した前記各雄側取付具の前記環状溝内に夫々装着する、ことを特徴とする請求項１に記載のアクセサリ取付装置に関する。
【０００９】
本考案に係る請求項３は、［Ｆ］前記弾性取付具は、柔軟性弾性素材で形成され、前記挿入口を有する環状部材で構成される、ことを特徴とする請求項１又は２に記載のアクセサリ取付装置に関する。
【００１０】
本考案に係る請求項４は、［Ｇ］前記弾性取付具は、柔軟性弾性素材で形成され、前記挿入口を有する複数の環状部材で構成され、前記各環状部材は、前記挿入口を同方向へ向けて、相互に連結してなる、ことを特徴とする請求項１又は２に記載のアクセサリ取付装置に関する。
【００１１】
本考案に係る請求項５は、［Ｈ］前記弾性取付具は、弾性素材で形成され、前記挿入口を有する止め輪で構成される、請求項１又は２に記載のアクセサリ取付装置に関する。
【００１２】
本考案に係る請求項６は、［Ｉ］前記弾性取付具は、掴み部を有し、前記掴み部は、前記被覆繊維生地部分で被覆した前記環状溝から前記弾性取付具を抜出す方向へ引張自在である、ことを特徴とする請求項１乃至５の何れかに記載のアクセサリ取付装置に関する。
【００１３】
本考案に係る請求項７は、［Ｊ］前記掴み部は、前記環状部材と同一の柔軟性弾性素材で形成され、前記１又は複数の環状部材に一体形成される、ことを特徴とする請求項３、４又は６の何れかに記載のアクセサリ取付装置に関する。
【００１４】
本考案に係る請求項８は、［Ｋ］前記掴み部は、前記弾性取付具から前記挿入穴の穴中心線に直交する方向へ延設されている、ことを特徴とする請求項１乃至７の何れかに記載のアクセサリ取付装置に関する。
【考案の効果】
【００１５】
本考案に係る請求項１では、雄側取付具において、突起の軸端を繊維生地の表面に押付け、繊維生地で突起及び環状溝を被覆する。続いて、被覆繊維生地部分、及び被覆繊維生地部分で被覆した突起を弾性取付具の挿入穴に挿通し、弾性取付具を被覆繊維生地部分で被覆した環状溝内に装着する。
これにより、弾性取付具は、環状溝において、付勢力（バネ力）で被覆繊維生地部分を突起に付勢でき、雄側取付具の突起とで被覆繊維生地部分を挟み込んで、アクセサリを衣類に取付けることができるので、アクセサリの取付は簡単となる。しかも被覆繊維生地部分、及び被覆繊維生地部分で被覆した突起を弾性取付具の挿入穴に挿通するだけで、アクセサリの取付が完了するので、繊維生地を傷めることもない。
【００１６】
本考案に係る請求項２では、複数の雄側取付具を用意し、各雄側取付具の突起を繊維生地の表面に押付け、繊維生地で各雄側取付具の突起及び環状溝を被覆する。続いて、各被覆繊維生地部分、及び各被覆繊維生地部分で被覆した突起を各挿入穴に挿通し、弾性取付具を各雄側取付具の各環状溝内に装着する。
これにより、弾性取付具は、各環状溝において、付勢力（バネ力）で各被覆繊維生地部分を各突起に付勢でき、各突起とで各被覆繊維生地部分を挟み込んで、複数のアクセサリを衣類に取付けることができる。
【００１７】
本考案に係る請求項３では、弾性取付具を柔軟性弾性素材の環状部材で構成したので、被覆繊維生地部分、及び被覆繊維生地部分で被覆した突起を挿入穴に挿通するとき、繊維生地を傷めることなく、アクセサリを衣類に取付けることができる。
【００１８】
本考案に係る請求項４では、弾性取付具を柔軟性弾性素材の複数の環状部材で構成してので、各被覆繊維生地部分、及び各被覆繊維生地部分で被覆した突起を挿入穴に挿通するとき、線機生地を傷めることなく、複数のアクセサリを衣類に取付けことができる。
【００１９】
本考案に係る請求項５では、弾性取付具を止め輪で構成してので、簡単な構成でアクセサリを衣類に取付けることができる。
【００２０】
本考案に係る請求項６では、掴み部を引張ることで、弾性取付具を雄側取付具の環状溝から抜出せるので、アクセサリの取外は容易である。
【００２１】
本考案に係る請求項７では、掴み部を環状部材と同一の柔軟性弾性素材で形成したので、環状部材及び掴み部を一体形成できる。
【００２２】
本考案に係る請求項８では、掴み部を挿入穴の穴中心線に直交する方向へ延設したので、
【図面の簡単な説明】
【００２３】
【図１】アクセサリ取付装置を示す正面図である。
【図２】アクセサリ取付装置を構成する雄側取付具を示す図であって、（ａ）は上面図、（ｂ）は図２（ａ）のＡ−Ａ矢視図、（ｃ）は図２（ｂ）のＢ−Ｂ矢視図である。
【図３】アクセサリ取付装置を構成する弾性取付具を示す図であって、（ａ）は上面図、（ｂ）は図３（ａ）のＣ−Ｃ矢視図、（ｃ）は図３（ａ）のＤ−Ｄ矢視図、（ｄ）は図３（ａ）のＥ−Ｅ断面図である。
【図４】雄側取付具の突起を繊維生地に押付け、被覆繊維生地部分を形成する図であって、（ａ）は一部断面正面図、（ｂ）は図４（ａ）のＦ−Ｆ矢視図である。
【図５】雄側取付具、及び弾性取付具を繊維生地に取付ける手順を説明するための図であって、（ａ）は被覆繊維生地部分、及び突起を弾性取付具の挿入穴に挿通する状態を示す一部断面正面図、（ｂ）は弾性取付具を雄側取付具の環状溝内に装着した状態を示す一部断面正面図である。
【図６】雄側取付具、及び弾性取付具を繊維生地（衣類）に取付ける手順を説明するための図であって、（ａ）は図５（ｂ）のＧ−Ｇ矢視図、（ｂ）は図５（ｂ）のＨ−Ｈ矢視図である。
【図７】弾性取付具を雄側取付具の環状溝から抜出す手順を示す図である。
【図８】実施形態２のアクセサリ取付装置を構成する弾性取付具を示す図であって、（ａ）は正面図、（ｂ）は図８（ａ）のＩ−Ｉ矢視図、（ｃ）は図８（ａ）のＪ−Ｊ矢視図、（ｃ）は図８（ａ）のＫ−Ｋ断面図である。
【図９】実施形態２の弾性取付具に雄側取付具を取付けた状態を示す図であって、（ａ）は正面図、（ｂ）は図９（ａ）Ｌ−Ｌ矢視図である。
【図１０】実施形態２のアクセサリ取付装置において、弾性取付具を雄側取付具の環状溝から抜出す手順を示す図である。
【図１１】実施形態２のアクセサリ取付装置において、弾性取付具を雄側取付具の環状溝から抜出す手順を示す図である。
【図１２】実施形態２のアクセサリ取付装置を構成する弾性取付具を示す図であって、（ａ）は正面図、（ｂ）は図１２（ａ）のＭ−Ｍ矢視図である。
【図１３】実施形態２のアクセサリ取付装置において、弾性取付具に雄側取付具を取付けた状態を示す上面図である。
【図１４】実施形態３のアクセサリ取付装置を構成する弾性取付具を示す図であって、（ａ）は正面図、（ｂ）は図１２（ａ）のＮ−Ｎ矢視図、（ｃ）は図１４（ａ）のＰ−Ｐ断面図である。
【図１５】実施形態３のアクセサリ取付装置において、弾性取付具を雄側取付具に取付けた状態を示す図である。
【図１６】下肢、下肢衣類及びアクセサリ取付装置の関係を示す斜視図である。
【考案を実施するための形態】
【００２４】
本考案に係るアクセサリ取付装置について、図１乃至図１６を参照して説明する。
【００２５】
＜実施形態１＞
図１乃至図１６において、アクセサリ取付具（Ｘ）は、衣類（Ｚ）にアクセサリ（５）を取付ける（図１６参照）。
アクセサリ取付装置（Ｘ）は、図１乃至図３に示すように、雄側取付具（１）及び弾性取付具（２）を備える。
【００２６】
図１乃至図３において、雄側取付具（１）は、突起（３）、アクセサリ（５）及び環状溝（６）を有している。
【００２７】
図１及び図２において、突起（３）は、例えば合成樹脂素材で円柱（円形軸）に形成される。突起（３）は、軸方向（Ｌ）の両端に、第１軸端（３ａ）及び第２軸端（３ｂ）を有する。また、突起（３）は、軸方向（Ｌ）に直交する方向へ突出する円弧外周（３ｃ）を形成してなる。円弧外周（３ｃ）は、第１軸端（３ａ）から第２軸端（３ｂ）に向って設けられる。
突起（３）の第１軸端（３ａ）は、図１及び図２に示すように、直径：Ｄ１（外径）に設定される。
【００２８】
図１及び図２において、アクセサリ（５）は、例えば円形ドーム状に形成される。アクセサリ（５）は、突起（３）の第２軸端（３ｂ）に固定される。
アクセサリ（５）は、貴金属、宝石等の宝飾品、ブローチ等を含む装飾品である。
【００２９】
図１及び図２において、環状溝（６）は、突起（３）に形成される。環状溝（３）は円環状溝に形成される。また、環状溝（３）は、突起（３）外周に開口し、溝深：Ｈ１の円弧溝底（６ａ）を有している。円弧溝底（６ａ）は、突起（３）の円弧外周（３ｃ）に連続している。
環状溝（６）は、軸方向（Ｌ）において、溝幅：Ｇ１に設定される。また、環状溝（６）において、突起（３）は、直径：Ｄ２に設定される。直径：Ｄ２は、直径：Ｄ１−２×溝深：Ｈ１である。
【００３０】
上記構成の雄側取付具（１）は、突起（３）の第１軸端（３ａ）を衣類（Ｚ）の繊維生地（Ｚａ）の表面（Ｚ１）に押付け、突起（３）及び環状溝（６）を繊維生地（Ｚａ）で被覆して被覆繊維生地部分（Ｚａｐ）を形成する（図４参照）。
【００３１】
図１及び図３において、弾性取付具（２）は、挿入穴（１１）を有している。
弾性取付具（２）は、柔軟性弾性素材で形成される。柔軟性弾性素材は、シリコンゴムを含む合成ゴムである。弾性取付具（２）は、挿入穴（１１）を有する円環状部材（１２）で構成される。円環状部材（１２）は、円環丸ゴム（１２Ａ）を有し、円環丸ゴム（１２Ａ）は、例えばシリコンゴムで形成され、直径：ｄ１（外径）に設定される。
【００３２】
挿入穴（１１）は、円環状部材（１２）の円環丸ゴム（１２）内に形成され、直径：ｄ２（内径）に設定される。
【００３３】
上記構成の弾性取付具（２）は、被覆繊維生地部分（Ｚａｐ）、及び被覆繊維生地部分（Ｚａｐ）で被覆した突起（３）を挿入穴（１１）に挿通して、被覆繊維生地部分（Ｚａｐ）で被覆した環状溝（６）内に装着され、被覆繊維生地部分（Ｚａｐ）を突起（３）側に付勢する。
【００３４】
図１乃至図３において、突起（３）の直径：Ｄ１、Ｄ２（外径）、及び挿入穴（１１）の直径：ｄ２（内径）は、直径：Ｄ１＞直径：Ｄ２＞直径：ｄ３の関係である。
また、突起（３）の直径：Ｄ１、Ｄ２、及び挿入穴（１１）の直径：ｄ２は、突起（３）の第１軸端（３ａ）を挿入穴（１１）に挿通でき、しかも円環部材（１２）を環状溝（６）内に装着した時、付勢力（ｆ：バネ力）を持って突起（３）に付勢できる関係である。
更に、円環状部材（１２）の円環丸ゴム（１２Ａ）の直径：ｄ１、及び環状溝（６）の溝幅：Ｇ１は、直径：ｄ１＜溝幅：Ｇ１の関係である。
これにより、雄側取付具（１）の突起（３）を挿入穴（１１）に挿通し、弾性取付具（２）の円環状部材（１２）を環状溝（６）内に装着できる。
【００３５】
図１及び図３において、弾性取付具（２）は、掴み部（１５）を有している。掴み部（１５）は、弾性取付具（２）と同一の柔軟性弾性素材（例えばシリコンゴム）で形成される。
掴み部（１５）は、円環丸ゴム（１２Ａ）に一体形成され、円環状部材（１２）から挿入穴（１１）の穴中心線（ａ）に直交する方向（Ｍ）に延設されている。
また、掴み部（１５）は、挿入穴（１１）の穴中心線（ａ）の方向（Ｌ）に掴幅：Ｔ１を有している。
掴み部（１５）の掴幅：Ｔ１、及び円環丸ゴム（１２Ａ）の直径：ｄ２（外径）は、掴幅：Ｔ１＜直径：ｄ２の関係である。
【００３６】
次に、アクセサリ（５）の取付、及び取外について、図１、図４乃至図７を参照して説明する。
【００３７】
アクセサリ取付装置（Ｘ）は、衣類（Ｚ）にアクセサリ（５）を取付ける（図１６参照）。衣類（Ｚ）は、人の身につける衣類、例えば、下肢衣類、ブラウス、スボン（パンツ）、シャツ（Ｔシャツ等）、スカート、ワンピース、ドレス、フカ―フ、ネクタイ、エプロン、着物等の被覆全般を意味する。衣類（Ｚ）は、繊維糸を織り、編み込んでなる繊維生地（Ｚａ）で形成される。
衣類（Ｚ）の一例として、下肢衣類（Ｚ）があり、下肢衣類（Ｚ）は、図１６に示すように、例えば、下肢（Ｙ）全体を被覆するパンティーストッキングである（以下、パンティーストッキング（Ｚ：下肢衣類）と称する）。
なお、下肢（Ｙ）は、人の脚を意味し、一般に、骨盤部（Ｙ１）、上腿部（Ｙ２：大腿部）、下腿部（Ｙ３）及び足部（Ｙ４）で構成される。また、下肢衣類（Ｚ）は、パンティーストッキングに限定されず、タイツ、ソックス、ストッキング、レギンス、トレンカ又はスパッツ等でも良い。
【００３８】
以下、アクセサリ（５）の取付、又はアクセサリ（５）の取外について、パンティーストッキング（Ｚ：下肢衣類）に適用した場合を説明する（以下、図８乃至図１５も同様）。
＜アクセサリ（５）の取付＞
図１において、雄側取付具（１）は、パンティーストッキング（Ｚ：下肢衣類）の繊維生地（Ｚａ）の表面（Ｚ１）に配置し、弾性取付具（２）は繊維維持（Ｚａ）の裏面（Ｚ２）に配置する。
【００３９】
図４において、雄側取付具（１）の突起（３）を繊維生地（Ｚａ）に押付ける。このとき、突起（３）の第１軸端（３ａ）を繊維生地（Ｚａ）の表面（Ｚ１）に押付け、パンティーストッキング（Ｚ：下肢衣類）の繊維生地（Ｚａ）を裏面（ｚ１）に伸長して、伸長した繊維生地（Ｚａ）で突起３及び環状溝６を被覆する。
これにより、雄側取付具（１）は、突起（３）及び環状溝（６）を繊維生地（Ｚａ）で被覆する被覆繊維生地部分（Ｚａｐ）を形成する［図４（ａ）参照］。
【００４０】
続いて、図５において、弾性取付具（２）の円環状部材（１２）を被覆繊維生地部分（Ｚａｐ）で被覆した突起（３）に押付け、被覆繊維生地部分（Ｚａｐ）及び被覆繊維生地部分（Ｚａｐ）で被覆した突起（３）を円環状部材（１４）の挿入穴（１１）に挿通する。
このとき、突起（３）は、円環部材（１４）の円環丸ゴム（１２Ａ）を弾性変形しつつ、挿入穴（１１）を拡張（拡径）する［図５（ａ）参照］。
【００４１】
そして、被覆繊維生地部分（Ｚａｐ）、及び被覆繊維生地部分（Ｚａｐ）で被覆した突起（３）が挿入穴（１１）を挿通すると、弾性取付具（２）の円環状部材（１２）は被覆繊維生地部分（Ｚａｐ）で被覆した環状溝（６）内に装着される。
このとき、被覆繊維生地部分（３）で被覆した突起（３）は、第１軸端（３ａ）に円弧外周（３ｃ）を有しているので、弾性取付具（３）の円環状部材（１２）は、突起（３）の円弧外周（３ｃ）で案内され、被覆繊維生地部分（Ｚａｐ）に引掛かることなく環状溝（６）内に装着される。
【００４２】
弾性取付具（２）の円環状部材（１２）は、環状溝（６）内への装着に伴って、挿入穴（１１）を縮小（縮径）するので、付勢力（ｆ：バネ力）で被覆繊維生地部分（Ｚａｐ）を突起（３）に付勢する［図５（ｂ）及び図６（ｂ）参照］。
これにより、雄側取付具（１）及び弾性取付具（２）は、環状溝（６）において、突起（３）及び円環状部材（１２）で被覆繊維生地部分（Ｚａｐ）を挟み込んで、アクセサリ（５）をパンティーストッキング（Ｚ：下肢衣類）の表面（Ｚ１）に取付ける［図５（ｂ）及び図６（ａ）参照］。
【００４３】
＜アクセサリ（５）の取外＞
図７において、弾性取付具（２）の円環状部材（１２）を環状溝（６）内に装着すると、掴み部（１５）は、円環状部材（１２）の挿入穴（１１）の穴中心線（ａ）に直交する方向（Ｍ）に延設される。また、掴み部（１５）は、図７（ａ）に示すように、円環状部材（１２）外側で、繊維生地（Ｚａ）の裏面（Ｚ１）に配置される。
これにより、掴み部（１５）は、被覆繊維生地部分（Ｚａｐ）で被覆した環状溝（６）から円環状部材（１２）を抜出す方向（Ｑ）に引張自在となる。
【００４４】
続いて、人の手指、例えば人差指（Ｆ１）を繊維生地（Ｚａ）及び掴み部（１５）間に挿入し、人差指（Ｆ１）及び親指（Ｆ２）で掴み部（１５）を掴む［図７（ａ）参照］。
このとき、掴み部（１５）の掴幅：Ｔ１＜円環丸ゴム（１２Ａ）の直径：ｄ１（外径）の関係であるので、繊維生地（Ｚａ）及び掴み部（１５）間に隙間が形成され、人差指（Ｆ１）は掴み部（１５）及び繊維生地（Ｚａ）間に容易に挿入できる。
【００４５】
人差指（Ｆ１）及び親指（Ｆ２）で掴み部（１５）を、繊維生地（Ｚａ）の裏面（Ｚ２）から離間する方向［円環状部材（１２）を環状溝（６）から抜出す方向（Ｑ）］に回転させつつ引張る［図７（ａ）参照］。
これにより、弾性取付具（２）の円環丸ゴム（１２Ａ）は、掴み部（１５）側で環状溝（６）内から抜出す［図７（ｂ）参照］。
【００４６】
更に、掴み部（１５）を回転しつつ引張ると、円環状部材（１２）は、環状溝（６）内から完全に抜出る［図７（ｃ）参照］。
これにより、雄側取付具（１）及び弾性取付具（２）は、相互に分離され、雄側取付具（１）のアクセサリ（５）をパンティーストッキング（Ｚ：下肢衣類）から取外す。
【００４７】
このように、本考案に係るアクセサリ取付装置（Ｘ）では、雄側取付具（１）の突起（３）を繊維生地（Ｚａ）に押付け、被覆繊維生地部分（Ｚａｐ）及び被覆繊維生地部分（ＺａＰ）で被覆した突起（３）を弾性取付具（２）の挿入穴（１１）に挿通するだけで、アクセサリ（５）をパンティーストッキング（Ｚ：下肢衣類）に取付けることができ、アクセサリ（５）の取付けが容易（簡単）となる。
また、弾性取付具（２）は、柔軟性弾性素材で形成するので、繊維生地（Ｚａ）を傷づけることなく、アクセサリ（５）をパンティーストッキング（Ｚ：下肢衣類）に取付けることができる。
更に、アクセサリ（５）の取外は、掴み部（１５）を掴んで、繊維生地（Ｚａ）の裏面（２）から離間する方向（Ｑ）に引張ることで、円環状部材（１２）を環状溝（６）から抜出すことで、容易にできる。
【００４８】
＜実施形態２＞
本考案に係るアクセサリ取付具（Ｘ）は、図８乃至図１３に示すように、複数の挿入穴（１１）、（１１）・・・を有する構成を採用できる。
なお、図８乃至図１３において、図１乃至図７と同一符号は、同一部材又は同一構成であるので、その詳細な説明は省略する。
【００４９】
図８及び図９において、弾性取付具（２）は、複数（２つ）の挿入穴（１１）、（１１）を有する。弾性取付具（２）は、複数（２つ）の円環状部材（１２）、（１２）で構成される。
各円環状部材（１２）、（１２）は、挿入穴（１１）を夫々有している。また、各円環状部材（１２）、（１２）は、図８に示すように、挿入穴（１１）を相互に同方向へ向けて並設定される。各円環状部材（１２）、（１２）は、連結部（１２Ｂ）によって相互に連結（一体形成）される。
これにより、各挿入穴（１１）、（１１）は、図８に示すように、弾性取付具（２）に並設され、各円環状部材（１２）、（１２）を同方向で挿通している。
【００５０】
図８において、弾性取付具（２）は、複数（２つ）の掴み部（１５）、（１５）を有し、各掴み部（１５）、（１５）は各円環状部材（１２）、（１２）の夫々に一体形成される。
各掴み部（１５）、（１５）は、図８に示すように、各円環状部材（１２）、（１２）及び連結部（１２Ｂ）を間に位置して配置され、各円環状部材（１２）、（１２）から各挿入穴（１１）の穴中心線（ａ）の直交する方向（Ｍ）に延設されている。
各掴み部（１５）、（１５）及び各円環状部材（１２）、（１２）は、同一の柔軟性弾性素材、例えば、シリコンゴムで形成される。
【００５１】
雄側取付具（１）は、図９に示すように、複数（２つ）で構成される。各雄側取付具（１）、（１）は、図１及び図２と同一構成であり、突起（３）、アクセサリ（５）及び環状溝（６）を夫々有している。
【００５２】
＜アクセサリ（５）、（５）の取付＞
なお、複数（２つ）のアクセサリ（５）、（５）の取付は、基本的に、図１、図４乃至図６で説明したと同様であるので、その詳細な説明は省略する。
【００５３】
図９において、複数の雄側取付具（１）、（１）を繊維生地（Ｚａ）の表面（Ｚ１）に配置し、弾性取付具（２）は繊維生地（Ｚａ）の裏面（Ｚ２）に配置する。
各雄側取付具（１）、（１）は、突起（３）の第１軸端（３ａ）を繊維生地（Ｚａ）の表面（Ｚ１）に押付け、突起（３）及び環状溝（６）を繊維生地（Ｚａ）で被覆して被覆繊維生地部分（Ｚａｐ）、（Ｚａｐ）を夫々形成する。
【００５４】
続いて、弾性取付具（２）の各円環状部材（１２）、（１２）を各被覆繊維生地部分（Ｚａｐ）、（Ｚａｐ）で被覆した各突起（３）、（３）に押付け、各被覆繊維生地（Ｚａｐ）、（Ｚａｐ）及び各被覆繊維生地部分（Ｚａｐ）、（Ｚａｐ）で被覆した各突起（３）、（３）を各挿入穴（１１）、（１１）に夫々挿通して、弾性取付具（２）を各被覆繊維生地部分（Ｚａｐ）、（Ｚａｐ）で被覆した各環状溝（６）、（６）に装着する［図９（ａ）参照］。
これにより、弾性取付具（２）の各円環状部材（１２）、（１２）は、付勢力（ｆ：バネ力）で被覆繊維生地部分（Ｚａｐ）、（Ｚａｐ）を各突起（３）、（３）に夫々付勢する。
複数の雄側取付具（１）、（１）、及び弾性取付具（２）は、図９に示すように、各突起（３）、（３）及び各円環状部材（１２）、（１２）で各被覆繊維生地部分（Ｚａｐ）、（Ｚａｐ）を挟み込んで、複数（２つ）のアクセサリ（５）、（５）をパンティーストッキング（Ｚ：下肢衣類）に取付ける。
また、複数のアクセサリ（５）、（５）は、図９に示すように、各円環状部材（１２）、（１２）を連結する連結部（１２Ｂ）で間隔を隔てて配置され、相互に接触することなく、パンティーストッキング（Ｚ：下肢衣類）に取付けられる。
【００５５】
このように、本考案に係るアクセサリ取付装置（Ｘ）では、雄側取付具（１）を複数用意し、複数の挿入穴（１１）、（１１）を弾性取付具（２）に形成することで、複数のアクセサリ（５）をパンティーストッキング（Ｚ：下肢衣類）の表面（Ｚ１）に取付けることができる。
【００５６】
＜アクセサリ（５）、（５）の取外＞
なお、各アクセサリ（５）、（５）の取外は、基本的に、図７で説明したと同様であるので、その詳細な説明は省略する。
【００５７】
図１０において、各アクセサリ（５）、（５）の取外は、人の手指で各掴み部（１５）、（１５）を掴み、各掴み部（１５）、（１５）を繊維生地（Ｚａ）の裏面（Ｚ２）から離間する方向［各円環状部材（１２）、（１２）を各環状溝（６）、（６）から抜出す方向］に引張る。
これにより、弾性取付具（２）の各円環状部材（１２）、（１２）は、各環状溝（６）、（６）から抜出され、各雄側取付具（１）、（１）及び弾性取付具（２）を相互に分離して、各雄側取付具（１）、（１）のアクセサリ（５）をパンティーストッキング（Ｚ：下肢衣類）から取外す。
また、複数（２つ）のアクセサリ（５）、（５）のうち、一方側、図９の右側のアクセサリ（５）のみを取外す場合は、図１１に示すように、右側の掴み部（１５）を人の手指で掴んで、繊維生地（Ｚａ）の裏面（Ｚ２）から離間する方向［右側の円環状部材（１２）を環状溝（６）から抜出す方向（Ｑ）］に回転させつつ引張る［図１１（ａ）参照］。
これにより、右側の円環状部材（１２）を環状溝（６）内から完全に抜出すことができ、左側のアクセサリ（５）はパンティーストッキング（Ｚ：下肢衣類）に取付けた状態に維持できる［図１１（ｂ）参照］。
なお、複数（２つ）の挿入穴（１１）、（１１）のうち、任意の１の挿入穴（１１）に雄側取付具（１）を挿通することで、１のアクセサリ（５）をパンティーストッキング（Ｚ：下肢衣類）に取付けることもできる。
また、掴み部（１５）は、複数の円環状部材（１２）、（１２）の夫々に一体形成する構成に限定されず、一の円環状部材（１２）のみに一体形成する構成も採用できる。
【００５８】
また、図１２において、弾性取付具（２）は、複数（５つ）の挿入穴（１１）、（１１）、（１１）、（１１）、（１１）を有する。
弾性取付具（２）は、複数（５つ）の円環状部材（１２）、（１２）、（１２）、（１２）、（１２）で構成される。各円環状部材（１２）、（１２）、（１２）、（１２）、（１２）は、挿入穴（１１）を有している。各円環状部材（１２）、（１２）、（１２）、（１２）、（１２）は、図１２に示すように、挿入穴（１１）を相互に同方向に向けて並設される。また、各円環状部材（１２）、（１２）、（１２）、（１２）、（１２）は、複数の連結部（１２Ｂ）、（１２Ｂ）、（１２Ｂ）、（１２Ｂ）で連結され、中央の円環状部材（１２）、上下の円環状部材（１２）、（１２）及び左右の円環状部材（１２）、（１２）でなる十字配置される。
これにより、各挿入穴（１１）、（１１）、（１１）、（１１）、（１１）は、図１２に示すように、弾性取付具（２）に並設され、弾性取付具（２）を同方向で挿通している。
【００５９】
図１２において、弾性取付具（２）は、複数（４つ）の掴み部（１５）、（１５）、（１５）、（１５）を有し、各掴み部（１５）、（１５）、（１５）、（１５）は左右及び上下の各円環状部材（１２）、（１２）、（１２）、（１２）の夫々に一体形成される。
各掴み部（１５）、（１５）、（１５）、（１５）は、各円環状部材（１２）、（１２）、（１２）、（１２）、（１２）及び各連結部（１２Ｂ）、（１２Ｂ）、（１２Ｂ）、（１２Ｂ）を間に位置して十字配置され、左右及び上下の各円環状部材（１２）、（１２）、（１２）、（１２）から各挿入穴（１１）、（１１）、（１１）、（１１）の穴中心線（ａ）に直交する方向に延設されている。
各掴み部（１５）、（１５）、（１５）、（１５）及び各円環状部材（１２）、（１２）、（１２）、（１２）、（１２）は、同一の柔軟性弾性素材、例えばシリコンゴムで形成される。
【００６０】
雄側取付具（１）は、図１３に示すように、複数（５つ）で構成され、図１及び図２と同一構成であり、突起（３）、アクセサリ（５）及び環状溝（６）を夫々有している。
【００６１】
図１３において、各アクセサリ（５）、（５）、（５）、（５）、（５）の取付は、図４乃至図６、図９で説明したと同一であり、複数（５つ）のアクセサリ（５）、（５）、（５）、（５）、（５）を十字配置して、パンティーストッキング（Ｚ：下肢衣類）に取付けることができる。
これにより、複数のアクセサリ（５）の配列／配置によって、パンティーストッキング（Ｚ：下肢衣類）に装飾効果を持たせることができ、複数の挿入穴（１１）の配列／配置［複数の円環状部材（１２）の配列／配置］を適宜選択することで、複数のアクセサリ（５）を星型、菱型等に配列／配置して、パンティーストッキング（Ｚ：衣類）に取付けることができる。
【００６２】
また、複数のアクセサリ（５）、（５）、（５）、（５）、（５）の取外は、図１０及び図１１で説明したと同一であり、各掴み部（１５）、（１５）、（１５）、（１５）を人の手指で掴んで、パンティーストッキング（Ｚ：下肢衣類）の裏面（Ｚ２）から離間する方向（Ｑ）に引張ることで、全てのアクセサリ（５）、（５）、（５）、（５）、（５）をパンティーストッキング（Ｚ：下肢衣類）から取外すことができ、任意の１又は複数のアクセサリ（１５）を取外すこともできる。
なお、掴み部（１５）は、複数の円環状部材（１２）、（１２）、（１２）、（１２）の夫々に一体形成する構成に限定されず、任意の１の円環状部材（１２）、任意の２の円環状部材（１２）、（１２）又は任意の３の円環状部材（１２）、（１２）、（１２）に一体形成する構成も採用できる。
【００６３】
＜実施形態３＞
本考案に係るアクセサリ取付装置（Ｘ）は、図１４及図１５に示すように、弾性取付具（２）を止め輪（２２）で構成することも採用できる。
なお、図１４及び図１５において、図１乃至図１３と同一符号は、同一部材又は同一構成であるので、その詳細な説明は省略する。
【００６４】
図１４において、弾性取付具（２）は、止め輪（２２）で構成される。止め輪（２２）は、挿入穴（１１）を有し、弾性素材で形成される。弾性素材は、合成樹脂又はステンレス鋼等である。
止め輪（２２）は、切欠溝（２２Ａ）を有し、切欠溝（２２Ａ）は挿入穴（１１）を止め輪（２２）外側に連通する。これにより、止め輪（２２）は、拡張（拡径）又は縮小（縮径）できる。
【００６５】
また、弾性取付具（２）は、掴み部（１５）を有している。掴み部（１５）は、切欠溝（２２Ａ）反対側に配置され、止め輪（２２）に連結されている。掴み部（１５）は、止め輪（２２）から挿入穴（１１）の穴中心線（ａ）に直交する方向（Ｍ）に延設される。
【００６６】
図１５において、アクセサリ（５）の取付は、図１、図４乃至図６で説明したと同様である。また、アクセサリ（５）の取外は、図７で説明したと同様である。
【００６７】
本考案に係るアクセサリ取付装置（Ｘ）において、弾性取付具（２）は、円環状部材（１２）で構成することに限定されず、三角形等の多角環状部材としても良く、挿入穴（１１）は円形穴又は多角穴とすることもできる。このとき、雄側取付具（１）の環状溝（６）は、多角形の挿入穴（１１）と同一構成となる多角溝底とする。
また、弾性取付具（２）は、シリコンゴム等の合成ゴム板で構成し、１又は複数の挿入穴を合成ゴム板に形成する構成も採用できる。このとき、複数の挿入穴は、同方向で合成ゴム板を挿通する。
【００６８】
更に、弾性取付具（２）において、被覆繊維生地部分（Ｚａｐ）を突起（３）に付勢する付勢力（ｆ）は、円環丸ゴム（１２Ａ）の直径：ｄ１、挿入穴（１１）の直径：ｄ２（内径）を適宜選択することで調整できる。
【００６９】
また、複数のアクセサリ（５）の取付において、各アクセサリ（５）が円環状部材（１２）外形より小さい場合には、各円環状部材（１２）、（１２）を連結部（１２Ｂ）で連結することなく、直接連結する構成も採用できる。
【産業上の利用可能性】
【００７０】
本考案は、アクセサリ（装飾品）を衣類に取付けるのに好適である。
【符号の説明】
【００７１】
Ｘ  アクセサリ取付具
Ｚ  衣類
Ｚａ  繊維生地
Ｚ１  繊維生地の表面
Ｚ２  繊維生地の裏面
Ｚａｐ  被覆繊維生地部分
１  雄側取付具
２  弾性取付具
３  突起
５  アクセサリ（装飾品）
６  環状溝
１１  挿入穴
【図１】
0003176416.tif 000003
【図２】
0003176416.tif 000004
【図３】
0003176416.tif 000005
【図４】
0003176416.tif 000006
【図５】
0003176416.tif 000007
【図６】
0003176416.tif 000008
【図７】
0003176416.tif 000009
【図８】
0003176416.tif 000010
【図９】
0003176416.tif 000011
【図１０】
0003176416.tif 000012
【図１１】
0003176416.tif 000013
【図１２】
0003176416.tif 000014
【図１３】
0003176416.tif 000015
【図１４】
0003176416.tif 000016
【図１５】
0003176416.tif 000017
【図１６】
0003176416.tif 000018